(57)【特許請求の範囲】
【請求項１】
単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、前記主回路から前記欠相検出回路に接続されたラインに電磁波受信アンテナを設け、該電磁波受信アンテナにより受信した電磁波と前記中性線に接続された欠相検出用リード線に重畳した電磁波とを結合し、電磁波を減衰させることを特徴とする欠相保護機能付き回路遮断器。
【請求項２】
前記主回路の電圧線から電源ラインを介して前記欠相検出回路に接続されたグランドラインに前記電磁波受信アンテナを設けたことを特徴とする請求項１に記載の欠相保護機能付き回路遮断器。
【請求項３】
単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、前記主回路から前記欠相検出回路に接続されたラインにバイパス線を設け、前記ラインに重畳した電磁波を分配し位相をずらして減衰させることを特徴とする欠相保護機能付き回路遮断器。
【請求項４】
前記主回路の電圧線から電源ラインを介して前記欠相検出回路に接続されたグランドラインに前記バイパス線を設けたことを特徴とする請求項３に記載の欠相保護機能付き回路遮断器。
【請求項５】
前記バイパス線を並列に複数設けたことを特徴とする請求項３又は請求項４に記載の欠相保護機能付き回路遮断器。
【発明の詳細な説明】
【０００１】
【発明の属する技術分野】
本発明は、単相３線式電路の中性線欠相を検出して主回路を遮断する欠相保護機能付き回路遮断器に関し、特に電磁波による誤動作を防止するための構造に関する。
【０００２】
【従来の技術】
従来、図６に示すように欠相保護機能付き回路遮断器４１は、単相３線式電路の中性線Ｎと電圧線Ｌ１，Ｌ２との間の電圧を欠相検出回路４２により検出し、中性線Ｎに欠相検出用リード線４３を介して接続された欠相検出ライン４４と電圧線Ｌ１，Ｌ２に接続された電源ライン４５に整流ダイオード４６を介して接続されたグランドライン４７との電位差である検出電圧が予め設定したスレッショルド電圧に達した場合に欠相検出回路４２からの出力により引き外し装置４８を駆動し、開閉接点４９を開放して主回路を遮断している。欠相保護機能付き回路遮断器４１は、中性線Ｎに接続された欠相検出用リード線４３がアンテナとなって電磁波を受信しやすく、電磁波を受信すると欠相検出用リード線４３から欠相検出ライン４４に電磁波が重畳し、検出電圧が高くなって誤動作するという問題がある。そこで欠相検出ライン４４に抵抗器５０とコンデンサ５１とから成る複数のフィルタ５２を設け、欠相検出ライン４４に重畳する電磁波のピークカットを行って誤動作を防止していた。また、欠相保護機能付き回路遮断器４１に配線されている中性線Ｎや電圧線Ｌ１，Ｌ２も電磁波を受信するアンテナとなるが、電圧線Ｌ１，Ｌ２から電源ライン４５を介してグランドライン４７に重畳する電磁波については何も対策されていなかった。
【０００３】
【発明が解決しようとする課題】
上記従来の欠相保護機能付き回路遮断器に設けられた抵抗器５０とコンデンサ５１から成るフィルタ５２では、電磁波の周波数帯や電界強度によって誤動作を完全に防止することができなかった。また、グランドライン４７に重畳する電磁波の対策がされていないので誤動作しやすいという問題があった。
【０００４】
【課題を解決するための手段】
上記従来の欠相保護機能付き回路遮断器の問題点に鑑み、本発明の目的は、低コストで電磁波による誤動作を防止することができる欠相保護機能付き回路遮断器を提供するもので、その構造は、単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインに電磁波受信アンテナを設け、電磁波受信アンテナにより受信した電磁波と中性線に接続された欠相検出用リード線に重畳した電磁波とを結合し、電磁波を減衰させることである。
【０００５】
また、主回路の電圧線から電源ラインを介して欠相検出回路に接続されたグランドラインに電磁波受信アンテナを設けたことである。
【０００６】
また、単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインにバイパス線を設け、ラインに重畳した電磁波を分配し位相をずらして減衰させることである。
【０００７】
また、主回路の電圧線から電源ラインを介して欠相検出回路に接続されたグランドラインにバイパス線を設けたことである。
【０００８】
また、バイパス線を並列に複数設けたことである。
【０００９】
【発明の実施の形態】
請求項１に記載の欠相保護機能付き回路遮断器によれば、単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインに電磁波受信アンテナを設け、電磁波受信アンテナにより受信した電磁波と中性線に接続された欠相検出用リード線に重畳した電磁波とを結合し、電磁波を減衰させることにより、低コストで様々な周波数帯や電界強度の電磁波による誤動作を防止することができる。
【００１０】
請求項２に記載の欠相保護機能付き回路遮断器によれば、主回路の電圧線から電源ラインを介して欠相検出回路に接続されたグランドラインに電磁波受信アンテナを設けたことにより、効率的に電磁波による誤動作を防止することができる。
【００１１】
請求項３に記載の欠相保護機能付き回路遮断器によれば、単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインにバイパス線を設け、ラインに重畳した電磁波を分配し位相をずらして減衰させることにより、低コストで様々な周波数帯や電界強度の電磁波による誤動作を防止することができる。
【００１２】
請求項４に記載の欠相保護機能付き回路遮断器によれば、主回路の電圧線から電源ラインを介して欠相検出回路に接続されたグランドラインにバイパス線を設けたことにより、効率的に電磁波による誤動作を防止することができる。
【００１３】
請求項５に記載の欠相保護機能付き回路遮断器によれば、バイパス線を並列に複数設けたことにより、電磁波の減衰効果を大きくすることができる。
【００１４】
【実施例】
本発明に係る欠相保護機能付き回路遮断器の第１実施例を図１〜図３の添付図面に基づいて説明する。
【００１５】
欠相保護機能付き回路遮断器１は、単相３線式電路の中性線Ｎに欠相検出用リード線２が接続され、欠相検出用リード線２に欠相検出ライン３が接続され、欠相検出ライン３は欠相検出回路４に接続されている。また、単相３線式電路の両電圧線Ｌ１，Ｌ２に電源ライン５が接続され、夫々の電源ライン５に整流ダイオード６を介してグランドライン７が接続され、グランドライン７は欠相検出回路４に接続されている。
【００１６】
欠相検出回路４は、欠相検出ライン３とグランドライン７との電位差を検出し、この検出電圧が予め設定したスレッショルド電圧に達した場合に欠相検出回路４からの出力により引き外し装置８を駆動し、開閉接点９を開放して主回路を遮断する。
【００１７】
グランドライン７には電磁波受信アンテナ１０が設けられている。この電磁波受信アンテナ１０はリード線等が用いられ、プリント基板１１にハンダ付けにより接続されている。
【００１８】
電磁波受信アンテナ１０によって受信された電磁波はグランドライン７に重畳した電磁波と結合する。この電磁波受信アンテナ１０の長さにより、受信された電磁波の位相とグランドライン７に重畳した電磁波の位相はずれるため、これらを結合することにより電磁波を減衰させることができる。従って様々な周波数帯や電界強度の電磁波を減衰させることができ、誤動作を防止することができる。尚、電磁波受信アンテナ１０が長い場合は図３に示すように丸めて欠相保護機能付き回路遮断器内に収納すると良い。
【００１９】
また、欠相検出ライン３にはノイズを低減させるために抵抗器１２とコンデンサ１３から成るフィルタ１４が設けられている。このため、欠相検出ライン３に重畳する電磁波はフィルタ１４によってピークカットされ、誤動作を防止している。従来例ではフィルタ１４が複数設けられていたが、本発明ではフィルタ１４は一つにすることもできる。
【００２０】
尚、本実施例において電磁波受信アンテナ１０をグランドライン７に設けたが、電源ライン５に設けても良いし、欠相検出ライン３に設けても良いし、複数のラインに設けても良い。
【００２１】
本発明に係る欠相保護機能付き回路遮断器の第２実施例を図４及び図５の添付図面に基づいて説明する。
【００２２】
欠相保護機能付き回路遮断器２１は、単相３線式電路の中性線Ｎに欠相検出用リード線２２が接続され、欠相検出用リード線２２に欠相検出ライン２３が接続され、欠相検出ライン２３は欠相検出回路２４に接続されている。また、単相３線式電路の両電圧線Ｌ１，Ｌ２に電源ライン２５が接続され、夫々の電源ライン２５に整流ダイオード２６を介してグランドライン２７が接続され、グランドライン２７は欠相検出回路２４に接続されている。
【００２３】
欠相検出回路２４は、欠相検出ライン２３とグランドライン２７との電位差を検出し、この検出電圧が予め設定したスレッショルド電圧に達した場合に欠相検出回路２４からの出力により引き外し装置２８を駆動し、開閉接点２９を開放して主回路を遮断する。
【００２４】
グランドライン２７にはバイパス線３０が設けられている。このバイパス線３０は、例えばジャンパー線３０ａ、リード線３０ｂ又はプリント基板３１上のパターン等により異なる長さに形成されている。電圧線Ｌ１，Ｌ２からグランドライン２７に重畳した電磁波は、バイパス線３０によって分配され、バイパス線３０の長さによって位相をずらし、再結合させることにより減衰される。従って様々な周波数帯や電界強度の電磁波を減衰させることができ、誤動作を防止することができる。
【００２５】
また、欠相検出ライン２３にはノイズを低減させるために抵抗器３２とコンデンサ３３から成るフィルタ３４が設けられている。このため、欠相検出ライン２３に重畳する電磁波はフィルタ３４によってピークカットされ、誤動作を防止している。従来例ではフィルタ３４が複数設けられていたが、本発明ではフィルタ３４は一つにすることもできる。
【００２６】
尚、本実施例においてバイパス線３０をグランドライン２７に設けたが、電源ライン２５に設けても良いし、欠相検出ライン２３に設けても良いし、複数のラインに設けても良い。また、バイパス線３０は並列に複数設けることにより、電磁波の減衰効果を大きくすることができる。
【００２７】
【発明の効果】
以上のように本発明に係る欠相保護機能付き回路遮断器は、単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインに電磁波受信アンテナを設け、電磁波受信アンテナにより受信した電磁波と中性線に接続された欠相検出用リード線に重畳した電磁波とを結合し、電磁波を減衰させることにより、安価な部品で様々な周波数帯や電界強度の電磁波による誤動作を防止することができ、また、抵抗器とコンデンサから成るフィルタの数を少なくすることができるのでコストを低減することができるという効果がある。
【００２８】
また、主回路の電圧線から電源ラインを介して欠相検出回路に接続されたグランドラインに電磁波受信アンテナを設けたことにより、効率的に電磁波による誤動作を防止することができるという効果がある。
【００２９】
また単相３線式電路の中性線と電圧線との間の電圧を欠相検出回路により検出し、検出電圧が予め設定したスレッショルド電圧に達した場合に欠相検出回路からの出力により引き外し装置を駆動し、主回路を遮断する欠相保護機能付き回路遮断器において、主回路から欠相検出回路に接続されたラインにバイパス線を設け、ラインに重畳した電磁波を分配し位相をずらして減衰させることにより、安価な部品で様々な周波数帯や電界強度の電磁波による誤動作を防止することができ、また、抵抗器とコンデンサから成るフィルタの数を少なくすることができるのでコストを低減することができるという効果がある。
【００３０】
また、主回路の電圧線から電源ラインを介して欠相検出回路に接続されたグランドラインにバイパス線を設けたことにより、効率的に電磁波による誤動作を防止することができるという効果がある。
【００３１】
また、バイパス線を並列に複数設けたことにより、電磁波の減衰効果を大きくすることができるという効果がある。
【図面の簡単な説明】
【図１】本発明の第１実施例に係る欠相保護機能付き回路遮断器のブロック図である。
【図２】欠相検出回路が実装されたプリント基板を示す正面図である。
【図３】プリント基板が組み込まれた状態の欠相保護機能付き回路遮断器を示す正面図である。
【図４】本発明の第２実施例に係る欠相保護機能付き回路遮断器のブロック図である。
【図５】欠相検出回路が実装されたプリント基板を示す正面図である。
【図６】従来の欠相保護機能付き回路遮断器のブロック図である。
【符号の説明】
１      欠相保護機能付き回路遮断器
２      欠相検出用リード線
３      欠相検出ライン
４      欠相検出回路
５      電源ライン
７      グランドライン
１０    電磁波受信アンテナ
１４    フィルタ
【図１】
0004401029.tif 000002
【図２】
0004401029.tif 000003
【図３】
0004401029.tif 000004
【図４】
0004401029.tif 000005
【図５】
0004401029.tif 000006
【図６】
0004401029.tif 000007